(57)【要約】【課題】  ブッシング取付フランジを損壊することなく柱上変圧器からブッシングを取外すための取外治具を提供すること。【解決手段】  ブッシング取外治具は、一端側に握持操作部を設け、他端側に太い先端部を有する挟持作用部を設けた一対の挟持半体を回動可能に交叉枢着してなる。握持操作部は挟持作用部よりも細く、挟持作用部は先端に挟持内方向に突出した鉤状の鋭利な把持爪を有する。ブッシングとフランジとの間のガスケットに把持爪を食い込ませた状態で、把持爪の端部を支点に治具を倒すことにより、梃子の原理を応用してブッシングを容易に取外すことができる。【選択図】  図２
2007006685.tif 000002
【特許請求の範囲】
【請求項１】
一端側に握持操作部を設け、他端側に太い先端部を有する挟持作用部を設けた一対の挟持半体を回動可能に交叉枢着してなる柱上変圧器のブッシング取外治具であって、
前記握持操作部は前記挟持作用部よりも細く、
前記挟持作用部は、先端に挟持内方向に突出した鉤状の鋭利な把持爪を有し、
前記握持操作部を外方向に操作すると挟持作用部が離隔し、
前記握持操作部を内方向に操作すると挟持作用部が接近することを特徴とするブッシング取外治具。
【請求項２】
請求項１に記載のブッシング取外治具において、
前記ブッシング取外治具は、少なくとも前記挟持作用部が鋼等の粘性を有する金属よりなることを特徴とするブッシング取外治具。
【発明の詳細な説明】
【技術分野】
【０００１】
本発明は柱上変圧器のブッシング取外治具に係り、より詳細にはブッシング取付フランジを変形させずにブッシングを取外すことのできる治具に関する。
【背景技術】
【０００２】
柱上変圧器の正常な作動を維持するためには定期的なオーバーホールが不可欠である。オーバーホール時には柱上変圧器を分解するが、このとき特にブッシングの取外しが問題となる。
ブッシングとフランジとの間には、雨などの浸入を防ぐためにガスケットが挟まれている。ブッシングとガスケットとフランジとは互いに接着剤を用いて接着されているので、ブッシングは容易には取外すことができない。
【０００３】
したがって、ブッシング取外作業の際には、まず蓋部分を取外した柱上変圧器ケースの上部から梃子を差し込んでブッシングにあてがい、こねてフランジと剥離する方法や、ガスケットにマイナスドライバ等の先端部を打ち込んでブッシングとフランジとを剥離する方法が採られていた。
【０００４】
ところで、部品等の取外しが人間の手や指先では困難な場合、ヤットコやペンチ等に倣った構造の工具が一般に用いられている。特許文献１に記載の工具はその一例である。このような、２つの部材を回動可能に枢着してなる工具を利用すれば、作業者は少ない力を込めるだけで能率的に作業を行うことができる。
【特許文献１】特開平９−１０９０４８号公報
【発明の開示】
【発明が解決しようとする課題】
【０００５】
従来のブッシング取外方法によれば、大きな力が加わるのでフランジに変形が生じてしまい、これを修正する作業が必要であった。
また、フランジの修正作業は熟練を要するため、作業者が限定され、作業効率が悪いという問題があった。
【課題を解決するための手段】
【０００６】
上記の課題を解決するために本発明が提供するのは、一端側に握持操作部を設け、他端側に太い先端部を有する挟持作用部を設けた一対の挟持半体を回動可能に交叉枢着してなる柱上変圧器のブッシング取外治具である。このブッシング取外治具において、握持操作部は挟持作用部よりも細く、挟持作用部は先端に挟持内方向に突出した鉤状の鋭利な把持爪を有する。また、握持操作部を外方向に操作すると挟持作用部が離隔し、握持操作部を内方向に操作すると挟持作用部が接近する。
このブッシング取外治具は、少なくとも挟持作用部が鋼等の粘性を有する金属より成る。
【発明の効果】
【０００７】
本発明によれば、フランジを変形させずにブッシングを取外すことができるので、取外作業の後で変形を修正する作業を行う必要がない。
また、ブッシング取付フランジのガスケット当たり面を傷つけることなくブッシングを取外すことができる上、梃子の原理を利用して少しの力で取外作業を行うことが可能である。
さらに、いずれの製造会社が製造した柱上変圧器またはブッシングであっても適用できる。
【発明を実施するための最良の形態】
【０００８】
本発明の実施形態を図面を参照して説明する。
図１（ａ）は柱上変圧器（１）の側面図、図１（ｂ）はこの柱上変圧器（１）のブッシング取付部を拡大した図である。同図に示すように、ブッシング（３）はフランジ（２）に取付けられており、ブッシング（３）とフランジ（２）との間には雨などの浸入を防ぐためのガスケット（４）が挟まれている。前述したとおり、ブッシング（３）とガスケット（４）とフランジ（２）とは接着剤により接着され、容易には剥離できない。
【０００９】
図２に示すのは、本発明によるブッシング取外治具である。図２（ａ）に示すように、ブッシング取外治具（５）は枢着部（９）で回動可能に枢着された一対の挟持半体より構成される。作業者は握持操作部（６）を握って治具の操作を行う。挟持作用部（７）は取外作業時にブッシングを挟み込む部分である。
【００１０】
挟持作用部（７）は、先端に挟持内方向に突出した把持爪（８）を有する。把持爪（８）は刃物のように鋭利な先端部を有し、フランジとブッシングとに挟まれたガスケットに食い込みやすい形状となっている。また、把持爪（８）およびその根元部分は、握持操作部（６）や挟持作用部（７）のほかの部分より太い。
【００１１】
図３および４を参照して本発明のブッシング取外治具の操作を説明する。なお、ブッシング（３）には様々な形状があるが、一般的にはフランジ（２）との接合面が円形または長楕円形になっている。本実施例では後者の形状のブッシングを取外すものとする。
【００１２】
作業者が各挟持半体の握持操作部（６）を片手ずつで握り、外方向に広げると、挟持作用部が離隔する。この状態で、治具（５）をブッシング（３）とフランジ（２）との接合部分に配置する。
ここで、ブッシング（３）は略長楕円形を有するので、治具（５）を長楕円の短い方の直径方向にブッシング（３）を跨ぐように配置する。言い換えれば、治具（５）の把持爪（８）が長楕円の長い方の直径と並行になるように配置する。
【００１３】
次に、治具（５）の握持操作部（６）を内方向に操作して挟持作用部（７）を閉じ、把持爪（８）の先端部を柱上変圧器（１）のフランジ（２）とブッシング（３）との間のガスケット（４）にあてがう。把持爪（８）がガスケット（４）部分に接触していることを確認したら、作業者は握持操作部（６）をさらに内方向に操作して、把持爪（８）をガスケット（４）に食い込ませる。これを図３に示す。
【００１４】
図２（ｂ）から明らかなように、把持爪（８）は一定の幅を有する。本実施例においては、この幅を２５ｍｍとするが、これに限定されることはない。作業者は把持爪（８）をガスケット（４）に食い込ませた状態を保持したまま、爪（８）の一端部を支点として治具（５）を左右いずれかの方向に倒す。
【００１５】
図４においては、治具（５）の把持爪（８）の右端部を支点とし、右方向（矢印の示す方向）に治具（５）を倒している。この動作により、ブッシング（３）をフランジ（２）から剥離させる。
【００１６】
なお、本発明の取外治具（５）は、少なくとも把持爪（８）を鋼などの粘性を備えた金属から作製するのが望ましい。このとき、把持爪（８）以外の部分、すなわち先端を除いた挟持作用部（７）および握持操作部（６）は、把持爪（８）ほどの太さに作製する必要は無い。これらの各部分を全て同じ太さに作製すると、治具が重くなり操作が困難になるためである。
【図面の簡単な説明】
【００１７】
【図１】（ａ）は柱上変圧器の側面図、（ｂ）は柱上変圧器のブッシング取付部分の拡大側面図である。
【図２】（ａ）は本発明によるブッシング取外治具の正面図、（ｂ）は本発明によるブッシング取外し治具の側面図である。
【図３】本発明によるブッシング取外治具の使用状態を説明する概略図である。
【図４】本発明によるブッシング取外治具の使用状態を説明する概略図である。
【符号の説明】
【００１８】
１  柱上変圧器
２  フランジ
３  ブッシング
４  ガスケット
５  取外治具
６  握持操作部
７  挟持作用部
８  把持爪
９  枢着部
【図１】
2007006685.tif 000003
【図２】
2007006685.tif 000004
【図３】
2007006685.tif 000005
【図４】
2007006685.tif 000006